(57)【要約】      （修正有）【課題】糸を保管し、撚りをかけるとともに、撚糸する前に糸を整理することもでき、糸の品質を向上させる紡績用集積式糸保管撚糸機構を提供する。【解決手段】紡績用集積式糸保管撚糸機構は、糸１と、整理チャンネル２と、撚糸機９と糸保管パイプ１０を備え、整理チャンネル２は固定フレーム３と整理装置４を備え、整理装置４は固定フレーム３の内腔に二組並置され、整理装置４の下端は圧縮バネ７の一端と接合され、整理装置４の上端は引っ張りバネ８の一端と接合され、圧縮バネ７のもう一端及び引っ張りバネ８のもう一端はそれぞれ固定フレーム３の底端と側面に粘着され、糸１は整理装置４を通り抜けて、糸に撚りをかけるための撚糸機９を経て、糸保管パイプ１０の外周に巻きつけられ、糸保管パイプ１０はガイドパイプ１１の外壁に被装され、ガイドパイプ１１の一端に旋回モータが設置される。【選択図】図１
0003235427.tif 000002
【実用新案登録請求の範囲】
【請求項１】
紡績用集積式糸保管撚糸機構であって、それは糸（１）と、整理チャンネル（２）と、撚糸機（９）と糸保管パイプ（１０）を備え、  
前記整理チャンネル（２）は固定フレーム（３）と整理装置（４）を備え、整理装置（４）は固定フレーム（３）の内腔に設置され、また、整理装置（４）は二組に並置され、前記整理装置（４）の下端は圧縮バネ（７）の一端と接着剤を介して接合され、前記整理装置（４）の上端は引っ張りバネ（８）の一端と接着剤を介して接合され、前記圧縮バネ（７）のもう一端及び引っ張りバネ（８）のもう一端はそれぞれ固定フレーム（３）の底端と側面に粘着され、前記糸（１）は整理チャンネル（２）の整理装置（４）を通り抜けて、糸（１）は糸に撚りをかけるための撚糸機（９）も経て、また、糸（１）は糸保管パイプ（１０）の外周に巻きつけて、前記糸保管パイプ（１０）はガイドパイプの外壁（１１）に被装され、前記ガイドパイプ（１１）の一端に旋回モータ（１２）が設置され、前記旋回モータ（１２）は回転装置（１３）の上端に設置されることを特徴とする紡績用集積式糸保管撚糸機構。
【請求項２】
前記回転装置（１３）は固定板（１４）と支持板（２０）を備え、前記固定板（１４）の四角の下端に何れも支持脚（２２）が溶接固定され、前記固定板（１４）の下端に主動輪（１５）と従動輪（１６）が平行に設置され、前記主動輪（１５）の下端に旋回モータ（１２）が回転接続され、前記固定板（１４）に貫通しているチャンネルが開設され、前記主動輪（１５）と従動輪（１６）の間に伝送チェーン（１７）が取り付けられ、前記伝送チェーン（１７）の上端に縦ピン（１８）が溶接固定され、前記固定板（１４）の左右両側にU状板（１９）が嵌合され、2つの前記U状板（１９）の上端に支持板（２０）が固設され、前記支持板（２０）に貫通している半円状チャンネル（２１）が開設され、前記旋回モータ（１２）は支持板（２０）の上端に取り付けられ、また、ガイドパイプ（１１）の向きは伝送チェーン（１７）の直線部分の向きと一致していることを特徴とする請求項１に記載の紡績用集積式糸保管撚糸機構。
【請求項３】
前記整理装置（４）は主要なゴム板（５）と副次的ゴム板（６）を備え、前記主要なゴム板（５）は二枚の副次的ゴム板（６）の間に設置され、前記主要なゴム板（５）は接着剤を介して副次的ゴム板（６）と接合され、また、主要なゴム板（５）のもう一端は二枚の副次的ゴム板（６）の間を通り抜けて、「又」の形に形成し、主要なゴム板（５）と接続する引っ張りバネ（８）及び副次的ゴム板（６）と接続する引っ張りバネ（８）は、2つの固定フレーム（３）の異なる側の縦方向の側面に設置され、前記主要なゴム板（５）の内側と副次的ゴム板（６）の内側に何れも糸と平行する糸ガイド筋が開設されることを特徴とする請求項１に記載の紡績用集積式糸保管撚糸機構。
【請求項４】
前記縦ピン（１８）の直径は、半円状チャンネル（２１）の外円の直径と内円の直径の差より小さく、前記半円状チャンネル（２１）の内円の直径はそれぞれ主動輪（１５）と従動輪（１６）の直径より小さく、前記半円状チャンネル（２１）の外円の直径はそれぞれ主動輪（１５）と従動輪（１６）の直径より大きく、また、縦ピン（１８）の上端は固定板（１４）のチャンネルから通り抜けて、支持板（２０）の半円状チャンネル（２１）からも通り抜けることを特徴とする請求項２に記載の紡績用集積式糸保管撚糸機構。
【考案の詳細な説明】
【技術分野】
【０００１】
本考案は撚糸技術の分野に関し、具体的は紡績用集積式糸保管撚糸機構に関する。
【背景技術】
【０００２】
撚糸とは、回転運動を利用して、顔を洗う時にタオルを捻るように、引かれた細長いものを捻ることで、繊維間の縦方向関係を固定させる工程を指す。細長いものはその自体の軸の中心を回って一周捻るのは、一回の撚りをかけると言う。撚糸は、繊維の曲がりや捻じりを利用し、曲がりにより巻き付け、捻じりにより撚りをかける。細長い繊維物の一端は固定され、もう一端は捻れられると、ある程度で張力が生じて、撚りをかけるようになる。ということで、張力と捻じりは撚糸には欠けてはいけないものである。撚糸とは、生地糸を糸に巻く工程であり、例えば、一本の糸は24本の生地糸からなり、24本の生地糸はお互いに絡みつくことで糸を丈夫にして、しっかり絡みつくほど撚係数も高くなり、紡いだ糸は相対的にしっかりとした質感が持ち、ドレープが良く、堅牢度も高い。糸に撚りをかけない場合、生地糸の間はお互いに絡みつかず、布は弛んでいるように見え、ドレープが悪くて、堅牢度も高くない。通常の生地糸に対して事前整理しない状態で撚糸すると、 散らしている生地糸のせいで、糸の品質が大いに下げる。また、今販売されている撚糸機は撚りをかけた後、糸を保管することはできないため、作業の難しさが増加し、作業効率が下がる。
【０００３】
したがって、上記現状に対して、実際な使用ニーズを満足するために、紡績用集積式糸保管撚糸機構を開発・製造する必要がある。
【考案の概要】
【考案が解決しようとする課題】
【０００４】
上記の課題を解決するために、本考案は、紡績用集積式糸保管撚糸機構を提供するのを目的とする。
【課題を解決するための手段】
【０００５】
以上の目的を実現するために、本考案の使用する技術的な解決方案は以下の通りである。紡績用集積式糸保管撚糸機構であって、それは、糸と、整理チャンネルと、撚糸機と糸保管パイプを備え、前記整理チャンネルは固定フレームと整理装置を備え、整理装置は固定フレームの内腔に設置され、また、整理装置は二組に並置され、前記整理装置の下端は圧縮バネの一端と接着剤を介して接合され、前記整理装置の上端は引っ張りバネの一端と接着剤を介して接合され、前記圧縮バネのもう一端及び引っ張りバネのもう一端はそれぞれ固定フレームの底端と側面に粘着され、前記糸は整理チャンネルの整理装置を通り抜けて、糸は糸に撚りをかけるための撚糸機も経て、また、糸は糸保管パイプの外周に巻きつけて、前記糸保管パイプはガイドパイプの外壁に被装され、前記ガイドパイプの一端に旋回モータが設置され、前記旋回モータは回転装置の上端に設置される。
【０００６】
好ましくは、前記回転装置は固定板と支持板を備え、前記固定板の四角の下端に何れも支持脚が溶接固定され、前記固定板の下端に主動輪と従動輪が平行に設置され、前記主動輪の下端に旋回モータが回転接続され、前記固定板に貫通しているチャンネルが開設され、前記主動輪と従動輪の間に伝送チェーンが取り付けられ、前記伝送チェーンの上端に縦ピンが溶接固定され、前記固定板の左右両側にU状板が嵌合され、2つの前記U状板の上端に支持板が固設され、前記支持板に貫通している半円状チャンネルが開設され、前記旋回モータは支持板の上端に取り付けられ、また、ガイドパイプの向きは伝送チェーンの直線部分の向きと一致している。
【０００７】
好ましくは、前記整理装置は主要なゴム板と副次的ゴム板を備え、前記主要なゴム板は二枚の副次的ゴム板の間に設置され、前記主要なゴム板は接着剤を介して副次的ゴム板と接合され、また、主要なゴム板のもう一端は二枚の副次的ゴム板の間を通り抜けて、「又」の形に形成し、主要なゴム板と接続する引っ張りバネ及び副次的ゴム板と接続する引っ張りバネは、2つの固定フレームの異なる側の縦方向の側面に設置され、前記主要なゴム板の内側と副次的ゴム板の内側に何れも糸と平行する糸ガイド筋が開設される。
【０００８】
好ましくは、前記縦ピンの直径は、半円状チャンネルの外円の直径と内円の直径の差より小さく、前記半円状チャンネルの内円の直径はそれぞれ主動輪と従動輪の直径より小さく、前記半円状チャンネルの外円の直径はそれぞれ主動輪と従動輪の直径より大きく、また、縦ピンの上端は固定板のチャンネルから通り抜けて、支持板の半円状チャンネルからも通り抜ける。
【考案の効果】
【０００９】
本考案の有益な効果は以下の通りである。該紡績用集積式糸保管撚糸機構は、整理装置を設置しており、主要なゴム板と副次的ゴム板を用いて集合された糸を押し出し、糸ガイド筋により雑な糸や散らかしている糸等を除去し、除去できない部分は主要な糸へ押し出されて集合され、ガイドパイプを通して糸保管パイプを動かして、糸を糸保管パイプの外周に巻きつけて糸を保管できるようになる。回転装置を設置することで、糸保管パイプを往復運動させて、糸を糸保管パイプの外周に均一に並べさせることができる。該紡績用集積式糸保管撚糸機構によって、糸を保管し、撚りをかけるとともに、撚糸する前に糸を整理することもできるため、糸の品質を向上させる。
【図面の簡単な説明】
【００１０】
【図１】本考案の断面図である。
【図２】本考案の回転装置の平面図である。
【図３】本考案の整理装置が展開状態での平面図である。
【図４】本考案の整理装置が運転状態での左側面図である。
【考案を実施するための形態】
【００１１】
以下、本考案の実施例における図面と合わせて、本考案の実施例における技術手段について具体的に説明する。もちろん、本明細書に説明した実施例は本考案の実施例の一部に過ぎなく、全部の実施例ではない。本考案の実施例に基づき、本技術分野の当業者は、創造的な労働を作らない限り、得られた他の実施形態のすべては本考案の保護範囲に属する。
【００１２】
別に定義して指摘する方向の以外、本考案に関わった上、下、左、右等の方向は何れも本考案の図1−3に示す上、下、左、右に準じる、ここで特に強調する。
【００１３】
本考案は、図1−4に示すような紡績用集積式糸保管撚糸機構を提供し、それは糸１と、整理チャンネル２と、撚糸機９と糸保管パイプ１０を備え、前記整理チャンネル２は固定フレーム３と整理装置４を備え、整理装置４は固定フレーム３の内腔に設置され、また、整理装置４は二組に並置され、前記整理装置４の下端は圧縮バネ７の一端と接着剤を介して接合され、前記整理装置４の上端は引っ張りバネ８の一端と接着剤を介して接合され、前記圧縮バネ７のもう一端及び引っ張りバネ８のもう一端はそれぞれ固定フレーム３の底端と側面に粘着され、前記糸１は整理チャンネル２の整理装置４を通り抜けて、糸１は糸に撚りをかけるための撚糸機９も経て、また、糸１は糸保管パイプ１０の外周に巻きつけて、前記糸保管パイプ１０はガイドパイプ１１の外壁に被装され、前記ガイドパイプ１１の一端に旋回モータ１２が設置され、前記旋回モータ１２は回転装置１３の上端に設置される。
【００１４】
具体的は、前記回転装置１３は固定板１４と支持板２０を備え、前記固定板１４の四角の下端に何れも支持脚２２が溶接固定され、前記固定板１４の下端に主動輪１５と従動輪１６が平行に設置され、前記主動輪１５の下端に旋回モータ１２が回転接続され、前記固定板１４に貫通しているチャンネルが開設され、前記主動輪１５と従動輪１６の間に伝送チェーン17が取り付けられ、前記伝送チェーン17の上端に縦ピン18が溶接固定され、前記固定板14の左右両側にU状板19が嵌合され、2つの前記U状板19の上端に支持板20が固設され、前記支持板20に貫通している半円状チャンネル21が開設され、前記旋回モータ12は支持板20の上端に取り付けられ、また、ガイドパイプ11の向きは伝送チェーン17の直線部分の向きと一致している。縦ピン18の移動により支持板20の移動を動かして、縦ピン18が主動輪15と従動輪16を回る際、半円状チャンネル21により、支持板20が動かない状態になり、縦ピン18が半周を回った後、縦ピン18により支持板20を回帰させて、回転往復運動させる。
【００１５】
具体的は、前記整理装置４は主要なゴム板５と副次的ゴム板６を備え、前記主要なゴム板５は二枚の副次的ゴム板６の間に設置され、前記主要なゴム板5は接着剤を介して副次的ゴム板6と接合され、また、主要なゴム板5のもう一端は二枚の副次的ゴム板6の間を通り抜けて、「又」の形に形成し、主要なゴム板5と接続する引っ張りバネ8及び副次的ゴム板6と接続する引っ張りバネ8は、2つの固定フレーム3の異なる側の縦方向の側面に設置され、前記主要なゴム板5の内側と副次的ゴム板6の内側に何れも糸と平行する糸ガイド筋が開設される。糸ガイド筋により糸１における雑な糸や散らかしている糸等を除去し、除去できない部分は主要な糸へ押し出されて集合される。
【００１６】
具体的は、前記縦ピン18の直径は、半円状チャンネル21の外円の直径と内円の直径の差より小さく、前記半円状チャンネル21の内円の直径はそれぞれ主動輪15と従動輪16の直径より小さく、前記半円状チャンネル21の外円の直径はそれぞれ主動輪15と従動輪16の直径より大きくため、縦ピン１８が半円状チャンネル２１の内に移動する際、邪魔されなく、半円状チャンネル21の外円の内壁に当たると、支持板20を押すことができる。また、縦ピン18の上端は固定板14のチャンネルから通り抜けて、支持板20の半円状チャンネル21からも通り抜ける。
【００１７】
具体的は、該紡績用集積式糸保管撚糸機構は、多組単糸1は整理チャンネル2を経て、主要なゴム板５と副次的ゴム板６に押し出され、糸ガイド筋の作用で糸１における雑な糸や散らかしている糸等を除去し、除去できない部分は主要な糸へ押し出されて集合され、二回整理された後、撚糸を行い、続いてガイドパイプ１１を通して糸保管パイプ１０を動かして、糸１を糸保管パイプ１０の外周に巻きつけて糸を保管できるようになる。回転装置１３により旋回モータ１２を往復運動させて、糸１を糸保管パイプ１０の外周に均一に並べさせることができる。
【００１８】
最後に説明すべきなのは、上記は本考案の好ましい実施方式のみであり、本考案の保護範囲は何ら限定されない。本明細書に具体的な個別事例を応用して本考案の原理及び実施方式を説明したが、本技術分野の当業者にとって、本考案の原理から逸脱しない前提において、全ての改善と修正、変化または組み合わせ、いずれも本考案の保護範囲とみなすべきである。
【符号の説明】
【００１９】
1、糸；２、整理チャンネル；３、固定フレーム；４，整理装置；５、主要なゴム板；６、副次的ゴム板；７、圧縮バネ；８、引っ張りバネ；９、撚糸機；１０、糸保管パイブ；１１、ガイドパイブ；１２、旋回モータ；１３、回転装置；１４、固定板；１５、主動輪；１６、従動輪；１７、伝送チェーン；１８、縦ピン；１９、U状板；２０、支持板；２１、半円状チャンネル；２２、支持脚
【図１】
0003235427.tif 000003
【図２】
0003235427.tif 000004
【図３】
0003235427.tif 000005
【図４】
0003235427.tif 000006